(57)【特許請求の範囲】
【請求項１】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたビルトイン式のガスコンロであって、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板から連設した被係止部から離間する待機位置と前記被係止部を係止して下方側に押圧する係止位置とに回動自在な回動式の係止体を、前記回転式操作部の回転により、前記待機位置から前記係止位置に操作される状態で備え、
前記係止体が、前記待機位置からの初期回動により、前記被係止部に係合し、引き続く回動により、前記被係止部を下方側に押圧するように構成されているビルトイン式のガスコンロ。
【請求項２】
前記回転式操作部が、前記本体部に設けた雌ネジ部材に螺合して、回転に伴って螺進移動する棒状体であり、
前記係止体が、前記回転式操作部としての前記棒状体が螺進移動するに伴って、その先端部にて押圧される被操作部を備え、
前記係止体を前記待機位置に復帰付勢する弾性付勢体が設けられている請求項１記載のビルトイン式のガスコンロ。
【請求項３】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたビルトイン式のガスコンロであって、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記鍔部を含めた前記本体部の前後幅及び横幅が、前記開口の前後幅及び横幅よりも小さく形成され、
前記鍔部を載置支持する載置枠が、前記開口の縁部に係止支持される状態で設けられ、
前記鍔部が、前記開口の縁部にて係止支持された前記載置枠の鍔部載置面に載置されることにより、前記カウンタトップ側に係止支持されるように構成され、
前記固定用突起が、外周に雄ネジが形成された棒状体であり、
前記載置枠に、前記固定用突起を下方に挿通させる挿通孔が形成され、
前記天板固定手段が、前記固定用突起における前記載置枠の下方に突出する部分に螺合され且つ前記載置枠の下面に当て付けられる雌ネジ部材を用いて構成されているビルトイン式のガスコンロ。
【請求項４】
前記載置枠が、前記カウンタトップの前後幅方向に伸びる長尺状に形成されて、その前後両端部が前記開口の前方側及び後方側の縁部に係止支持される左右一対の縦枠部分、及び、前記カウンタトップの横幅方向に伸びる長尺状に形成されて、その左右両端部が前記左右一対の縦枠部分にて係止支持され、且つ、前記開口の前方側の縁部に隣接する設定組付位置に配置される横枠部分を備え、
前記鍔部における前記本体部の左右に位置する左右鍔部分が、前記左右一対の縦枠部分に載置され、かつ、前記鍔部における前記本体部の前後に位置する前後鍔部分のうちの、前記横枠部分が存在する側の鍔部分が、前記横枠部分に載置され、且つ、前記横枠部分が存在しない側の鍔部分が、前記開口の後方側の縁部に載置されるように構成され、
前記固定用突起が、前記左右一対の縦枠部分及び前記横枠部分の夫々に対応させて設けられている請求項３記載のビルトイン式のガスコンロ。
【請求項５】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたビルトイン式のガスコンロであって、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記固定用突起が、外周に雄ネジが形成された棒状体であり、
前記鍔部に、前記固定用突起を下方に挿通させる挿通孔が形成され、
前記天板固定手段が、前記固定用突起における前記鍔部の下方に突出する部分に螺合され且つ前記鍔部の下面に当て付けられる雌ネジ部材を用いて構成されているビルトイン式のガスコンロ。
【請求項６】
前記本体部を前記開口の縁部からの浮き上がりを阻止するように止着する本体部止着手段が装備されている請求項３〜５のいずれか１項に記載のビルトイン式のガスコンロ。
【請求項７】
コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたビルトイン式のガスコンロであって、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記固定用突起が、外周に雄ネジが形成された棒状体であり、
前記カウンタトップに、前記固定用突起を下方に挿通させる挿通孔が形成され、
前記天板固定手段が、前記固定用突起における前記カウンタトップの下方に突出する部分に螺合され且つ前記カウンタトップの下面に当て付けられる雌ネジ部材を用いて構成されているビルトイン式のガスコンロ。
【請求項８】
前記開口における前記鍔部を係止支持するための縁部が、前記カウンタトップの上面よりも下方側に位置する段部状に形成され、
前記天板が、前記開口に嵌合される状態で且つその周縁部の上端側に鍔状に備える接当部を前記カウンタトップの上面に接当させた状態で装着されている請求項１〜７のいずれか１項に記載のビルトイン式のガスコンロ。
【発明の詳細な説明】
【技術分野】
【０００１】
本発明は、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、前記カウンタトップに組み付けられた前記本体部を覆い且つ周縁部が前記カウンタトップの上面に接当する状態に装着される天板が設けられたビルトイン式のガスコンロに関する。
【背景技術】
【０００２】
かかるビルトイン式のガスコンロは、本体部が、カウンタトップに形成した矩形状の開口に挿入される状態で装着され、その本体部が天板にて覆われるものであるから、使い易く、また、カウンタトップの上部側箇所を美麗な状態にできるものである。
また、天板の周縁部がカウンタトップの上面に接当する状態に装着されるものであるから、その周縁部とカウンタトップの上面との間を通して、煮汁等の液分が侵入することを抑制できることになる。
【０００３】
かかるビルトイン式のガスコンロの第１の従来例として、天板に、下方に突出する姿勢で係合体が設けられ、本体部に、天板が下方に移動されるに伴って、天板の係合体にて押圧されて後退変位し、その後、係合体がさらに下方に移動すると係合体による押圧が解除されて弾性復帰して、係合体に係合する弾性変位式の被係合体が設けられて、被係合体が係合した係合体の上方移動を規制することにより、天板の浮き上がりを規制したものがある（例えば、特許文献１参照。）。
【０００４】
ちなみに、特許文献１においては、天板の周縁部に、カウンタトップの上面に接当するシール材が備えられて、その周縁部とカウンタトップの上面との間を通して、煮汁等の液分が侵入することを抑制するようになっている。
【０００５】
また、ビルトイン式のガスコンロの第２の従来例として、天板の周縁部に、天板を貫通する複数の孔が周方向に沿って並ぶ状態で形成され、カウンタトップに、天板の複数の孔に貫通させる複数の埋め込みボルトが、複数の孔に対応する状態でカウンタトップの上面から上方に突出する姿勢で設けられ、さらに、埋め込みボルトの先端に螺合する化粧ナットが設けられて、本体部を覆う状態に天板を装着したときに、天板の複数の孔から突出する埋め込みボルトの先端に化粧ナットを締結することにより、天板をカウンタトップの上面側に押し付けるようにしたものがある（例えば、特許文献２（図６、図７）参照。）。
【先行技術文献】
【特許文献】
【０００６】
【特許文献１】特開２０１０−３２１３５号公報
【特許文献２】特開２００１−１２７５２号公報
【発明の概要】
【発明が解決しようとする課題】
【０００７】
第１の従来例においては、係合体と被係合体との係合により、天板の上方移動を規制するものであるため、天板の周縁部をカウンタトップの上面に押し付けることができないため、その周縁部とカウンタトップの上面との間を通して、煮汁等の液分が侵入することを的確に抑制できない虞があった。
【０００８】
第２の従来例においては、化粧ナットの締め付けにより、天板の周縁部をカウンタトップの上面側に押し付けることができるため、周縁部とカウンタトップの上面との間を通して、煮汁等の液分が侵入することを的確に抑制できるものの、化粧ナットが、天板の上部に露出するものであるから、カウンタトップの上方箇所の外観を美麗な状態にできないものであった。
【０００９】
本発明は、上記実情に鑑みて為されたものであって、その目的は、カウンタトップの上方箇所を外観が美麗な状態にすることができ、しかも、天板の周縁部をカウンタトップの上面に押し付けた状態に天板を装着することができ、かつ、その装着の操作性を向上できるビルトイン式のガスコンロを提供する点にある。
【課題を解決するための手段】
【００１０】
本発明のビルトイン式のガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたものであって、その第１特徴構成は、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板から連設した被係止部から離間する待機位置と前記被係止部を係止して下方側に押圧する係止位置とに回動自在な回動式の係止体を、前記回転式操作部の回転により、前記待機位置から前記係止位置に操作される状態で備え、
前記係止体が、前記待機位置からの初期回動により、前記被係止部に係合し、引き続く回動により、前記被係止部を下方側に押圧するように構成されている点を特徴とする。
【００１１】
すなわち、本体部を覆うように天板を装着した状態において、天板引き操作手段の回転式操作部を回転操作することにより、天板を下方側に引っ張り操作して固定することができる。
そして、天板引き操作手段によって下方側に引っ張り操作されて固定された状態の天板は、その周縁部がカウンタトップの上面に押し付けられた状態となるのであり、その周縁部とカウンタトップの上面との間を通して、煮汁等の液分が侵入することを的確に抑制できる。
【００１２】
また、天板引き操作手段が、本体部に設けられるものであるから、本体部を覆う状態に天板を装着したときには、天板引き操作手段が天板にて覆われることになり、天板引き操作手段がカウンタトップの上方に露出することがないため、カウンタトップの上方箇所を外観が美麗な状態にすることができるのである。
【００１３】
そして、天板引き操作手段の回転操作部が、本体部の底面部に位置させた状態で設けられているから、カウンタトップの開口に装着された本体部の下方側より、回転操作部を回転操作し易いため、天板引き操作手段にて天板を下方側に引っ張り操作することを良好に行える。
【００１４】
つまり、例えば、天板引き操作手段の回転操作部が、本体部における背面側の側面部に設けられると、見え難く、手が届き難いため、回転操作し難いものとなるが、本体部の底面部に位置する回転操作部は、本体部の下方側より、良好に操作できるのである。
【００１５】
要するに、本発明の第１特徴構成によれば、カウンタトップの上方箇所を外観が美麗な状態にすることができ、しかも、天板の周縁部をカウンタトップの上面に押し付けた状態に天板を装着することができ、かつ、その装着の操作性を向上できるビルトイン式のガスコンロを提供できる。
【００２２】
又、本発明の第１特徴構成によれば、回転式操作部を回転操作することにより、係止体が待機位置から係止位置に向けて回動することになり、そして、係止体が、待機位置からの初期回動により、天板から連設した被係止部に係合し、引き続く回動により、被係止部を下方側に押圧することによって、天板が下方側に引っ張り操作されることになる。
【００２３】
このように、回転式操作部を回転操作しさえすれば、回動式の係止体が、天板から連設した被係止部を係止して下方側に押圧することにより、天板を下方側に引っ張り操作するものであるから、天板を下方側に引っ張り操作することを容易に行えるものとなる。
【００２４】
要するに、本発明の第１特徴構成によれば、上記した作用効果に加えて、天板を下方側に引っ張り操作することを容易に行えるビルトイン式のガスコンロを提供できる。
【００２５】
本発明の第２特徴構成は、上記第１特徴構成に加えて、
前記回転式操作部が、前記本体部に設けた雌ネジ部材に螺合して、回転に伴って螺進移動する棒状体であり、
前記係止体が、前記回転式操作部としての前記棒状体が螺進移動するに伴って、その先端部にて押圧される被操作部を備え、
前記係止体を前記待機位置に復帰付勢する弾性付勢体が設けられている点を特徴とする。
【００２６】
すなわち、回転操作部としての棒状体を回転操作すると、その棒状体が本体部に設けた雌ネジ部材に対して螺進移動することになり、そして、その螺進移動する棒状体の先端部により、弾性付勢体にて待機位置に復帰付勢された係止体の被操作部が押圧されて、係止体が係止位置に回動操作されることになる。
【００２７】
このように、回転操作部としての棒状体を、本体部に設けた雌ネジ部材に対して螺進移動させることによって、係止体を待機位置から係止位置に回動させるものであるから、螺進移動による倍力作用によって係止体を待機位置から係止位置に回動操作できるため、十分な押圧力にて天板を下方側に引き操作して、天板の周縁部をカウンタトップの上面に的確に押し付けるようにすることができる。
【００２８】
また、係止体が弾性付勢体にて待機位置に復帰付勢されているから、カウンタトップに組み付けた本体部を覆う状態に天板を装着する際に、係止体と被係止部とが接当しない状態に維持されるため、天板の装着作業を良好に行えるものとなる。
【００２９】
要するに、本発明の第２特徴構成によれば、上記した第１特徴構成による作用効果に加えて、十分な押圧力にて天板を下方側に引き操作して、天板の周縁部をカウンタトップの上面に的確に押し付けることができ、しかも、天板の装着作業を良好に行えるビルトイン式のガスコンロを提供できる。
【００３０】
本発明のビルトイン式のガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたものであって、その第３特徴構成は、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記鍔部を含めた前記本体部の前後幅及び横幅が、前記開口の前後幅及び横幅よりも小さく形成され、
前記鍔部を載置支持する載置枠が、前記開口の縁部に係止支持される状態で設けられ、
前記鍔部が、前記開口の縁部にて係止支持された前記載置枠の鍔部載置面に載置されることにより、前記カウンタトップ側に係止支持されるように構成され、
前記固定用突起が、外周に雄ネジが形成された棒状体であり、
前記載置枠に、前記固定用突起を下方に挿通させる挿通孔が形成され、
前記天板固定手段が、前記固定用突起における前記載置枠の下方に突出する部分に螺合され且つ前記載置枠の下面に当て付けられる雌ネジ部材を用いて構成されている点を特徴とする。
【００３１】
すなわち、本体部を覆うように天板を装着した状態において、天板引き操作手段の回転式操作部を回転操作することにより、天板を下方側に引っ張り操作して固定することができる。
そして、天板引き操作手段によって下方側に引っ張り操作されて固定された状態の天板は、その周縁部がカウンタトップの上面に押し付けられた状態となるのであり、その周縁部とカウンタトップの上面との間を通して、煮汁等の液分が侵入することを的確に抑制できる。
また、天板引き操作手段が、本体部に設けられるものであるから、本体部を覆う状態に天板を装着したときには、天板引き操作手段が天板にて覆われることになり、天板引き操作手段がカウンタトップの上方に露出することがないため、カウンタトップの上方箇所を外観が美麗な状態にすることができるのである。
そして、天板引き操作手段の回転操作部が、本体部の底面部に位置させた状態で設けられているから、カウンタトップの開口に装着された本体部の下方側より、回転操作部を回転操作し易いため、天板引き操作手段にて天板を下方側に引っ張り操作することを良好に行える。
つまり、例えば、天板引き操作手段の回転操作部が、本体部における背面側の側面部に設けられると、見え難く、手が届き難いため、回転操作し難いものとなるが、本体部の底面部に位置する回転操作部は、本体部の下方側より、良好に操作できるのである。
要するに、本発明の第３特徴構成によれば、カウンタトップの上方箇所を外観が美麗な状態にすることができ、しかも、天板の周縁部をカウンタトップの上面に押し付けた状態に天板を装着することができ、かつ、その装着の操作性を向上できるビルトイン式のガスコンロを提供できる。
又、本発明の第３特徴構成によれば、天板の後端部側部分が、天板引き操作手段によって、下方側に引っ張り操作して固定され、そして、天板の前端部側及び左右端部側が、天板の下方に突出する固定用突起を天板固定手段によって、下方側に引っ張り操作して固定されることにより、天板が下方側に引っ張り操作されて固定されることになる。
【００３２】
つまり、天板の下方側から操作を行うにあたり、天板の前端部側や左右端部側については、手が届き易いため、構成の簡素化を図ることができる天板固定手段によって、天板を下方側に引っ張り操作して固定するようにする。
そして、天板の下方側から操作を行うにあたり、天板の後端部側については、手が届き難いため、回転操作部が本体部の底面部に位置されていることにより、操作し易い天板引き操作手段によって、天板を下方側に引っ張り操作して固定するようにする
【００３３】
ちなみに、天板の固定用突起を下方側に引っ張り操作して固定する天板固定手段は、天板の下方側より操作可能に設けられるものであるから、天板引き操作手段と同様に、天板固定手段がカウンタトップの上方に露出することがないため、カウンタトップの上方箇所を外観が美麗な状態にすることができる。
【００３４】
要するに、本発明の第３特徴構成によれば、上記した作用効果に加えて、操作性が良く、しかも、構成の簡素化を図ることができる形態で、天板の周縁部を下方側に引っ張り操作して固定することができるビルトイン式のガスコンロを提供できる。
【００３６】
又、本発明の第３特徴構成によれば、上端に鍔部を備える本体部は、鍔部を含めた前後幅及び横幅が、開口の前後幅及び横幅よりも小さくなるように形成されているため、本体部の上端に備えさせた鍔部が、開口の縁部に係止支持される状態で設けられる載置枠に載置されることにより、カウンタトップ側に係止されることになる。
【００３７】
そして、天板の下方に突出する状態で設ける固定用突起が、外周に雄ネジが形成された棒状体として構成されて、本体部を覆う状態に天板を装着したときに、載置枠に形成した挿通孔を貫通して下方に突出することになる。
このような状態において、天板の下方側より、天板固定手段としての雌ネジ部材を、固定用突起における載置枠の下方に突出する部分に螺合させて、締め付けるように回動操作することにより、雌ネジ部材が、載置枠に対して固定用突起を下方側に引っ張り操作することになるため、天板のトップの周縁部をカウンタトップの上面に押し付けることができるものとなる。
【００３８】
また、鍔部を含めた前後幅及び横幅が、開口の前後幅及び横幅よりも小さくなるように形成されている本体部は、その側面が、カウンタトップの開口の内側面から離れて位置することになるため、本体部の側面とカウンタトップの開口の内側面との間に、雌ネジ部材を操作するための空間を確保することができるものとなるため、雌ネジ部材に対する操作が行い易いものとなる。
【００３９】
さらに、鍔部を備える本体部の鍔部を含めた前後幅及び横幅が開口よりも小さいため、配送のために本体部や天板を梱包するにあたり、本体部の鍔部を含めた前後幅及び横幅が開口よりも大きい場合に較べて、その梱包の大きさを小さくすることができ、配送のための搬送面において有利となるのである。
【００４０】
要するに、本発明の第３特徴構成によれば、上記した作用効果に加えて、天板固定手段の操作性の向上を図ることができ、かつ、配送のための搬送面において有利となるビルトイン式のガスコンロを提供できる。
【００４１】
本発明の第４特徴構成は、上記第３特徴構成に加えて、
前記載置枠が、前記カウンタトップの前後幅方向に伸びる長尺状に形成されて、その前後両端部が前記開口の前方側及び後方側の縁部に係止支持される左右一対の縦枠部分、及び、前記カウンタトップの横幅方向に伸びる長尺状に形成されて、その左右両端部が前記左右一対の縦枠部分にて係止支持され、且つ、前記開口の前方側の縁部に隣接する設定組付位置に配置される横枠部分を備え、
前記鍔部における前記本体部の左右に位置する左右鍔部分が、前記左右一対の縦枠部分に載置され、かつ、前記鍔部における前記本体部の前後に位置する前後鍔部分のうちの、前記横枠部分が存在する側の鍔部分が、前記横枠部分に載置され、且つ、前記横枠部分が存在しない側の鍔部分が、前記開口の後方側の縁部に載置されるように構成され、
前記固定用突起が、前記左右一対の縦枠部分及び前記横枠部分の夫々に対応させて設けられている点を特徴とする。
【００４２】
すなわち、載置枠が、カウンタトップの前後幅方向に伸びる長尺状に形成されて、その前後両端部が開口の前方側及び後方側の縁部にて係止支持される左右一対の縦枠部分を備えるように構成され、そして、鍔部における本体部の左右に位置する左右鍔部分が、左右一対の縦枠部分に載置されることになる。
【００４３】
また、載置枠が、カウンタトップの横幅方向に伸びる長尺状に形成されて、その左右両端部が左右一対の縦枠部分に載置支持される横枠部分を、開口の前方側の縁部に隣接する設定組付位置に配置される状態で備えるように構成され、そして、鍔部における本体部の前後に位置する前後鍔部分のうちの、横枠部分が存在する側の鍔部分が、横枠部分に載置され、且つ、横枠部分が存在しない側の鍔部分が、開口の後方側の縁部に載置されることになる。
【００４４】
したがって、鍔部における本体部の左右に位置する左右鍔部分を、載置枠における左右一対の縦枠部分に載置し、鍔部における本体部の前方に位置する前方側の鍔部分を横枠部分に載置するものであるから、本体部の左右の側面と開口の内面との間や、本体部の前方の側面と開口の内面との間に、雌ネジ部材を操作するための空間を確保できるため、天板の前端部側及び左右端部側から下方に突出する固定用突起としての棒状体に対して、雌ネジ部材を螺合する操作を良好に行えることになる。
【００４５】
また、鍔部を含めた本体部の前後幅を開口の前後幅よりも小さく形成するのに合わせて、鍔部における本体部の前後に位置する前後の鍔部分を載置するために、載置枠に横枠部分を備えさせるようにするにあたり、開口の前方側の縁部に隣接する設定組付位置に位置させるようにする一つの横枠部分を備えさせて、鍔部における本体部の前後に位置する前後の鍔部分のうちの、横枠部分が存在する側の鍔部分を、横枠部分に載置させ、横枠部分が存在しない側の鍔部分を、開口の後方側の縁部に載置させるものであるから、開口の前方側及び後方側の縁部に隣接する位置に装着する一対の横枠部分を備えさせるようにするに較べて、載置枠の簡素化を図ることができるものとなる。
【００４６】
要するに、本発明の第４特徴構成によれば、上記した第３特徴構成による作用効果に加えて、固定突起としての棒状体に雌ネジ部材を螺合する操作を良好におこなえ、しかも、載置枠の構成の簡素化を図ることができるビルトイン式のガスコンロを提供できる。
【００４７】
本発明のビルトイン式のガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたものであって、その第５特徴構成は、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記固定用突起が、外周に雄ネジが形成された棒状体であり、
前記鍔部に、前記固定用突起を下方に挿通させる挿通孔が形成され、
前記天板固定手段が、前記固定用突起における前記鍔部の下方に突出する部分に螺合され且つ前記鍔部の下面に当て付けられる雌ネジ部材を用いて構成されている点を特徴とする。
【００４８】
すなわち、本体部を覆うように天板を装着した状態において、天板引き操作手段の回転式操作部を回転操作することにより、天板を下方側に引っ張り操作して固定することができる。
そして、天板引き操作手段によって下方側に引っ張り操作されて固定された状態の天板は、その周縁部がカウンタトップの上面に押し付けられた状態となるのであり、その周縁部とカウンタトップの上面との間を通して、煮汁等の液分が侵入することを的確に抑制できる。
また、天板引き操作手段が、本体部に設けられるものであるから、本体部を覆う状態に天板を装着したときには、天板引き操作手段が天板にて覆われることになり、天板引き操作手段がカウンタトップの上方に露出することがないため、カウンタトップの上方箇所を外観が美麗な状態にすることができるのである。
そして、天板引き操作手段の回転操作部が、本体部の底面部に位置させた状態で設けられているから、カウンタトップの開口に装着された本体部の下方側より、回転操作部を回転操作し易いため、天板引き操作手段にて天板を下方側に引っ張り操作することを良好に行える。
つまり、例えば、天板引き操作手段の回転操作部が、本体部における背面側の側面部に設けられると、見え難く、手が届き難いため、回転操作し難いものとなるが、本体部の底面部に位置する回転操作部は、本体部の下方側より、良好に操作できるのである。
要するに、本発明の第５特徴構成によれば、カウンタトップの上方箇所を外観が美麗な状態にすることができ、しかも、天板の周縁部をカウンタトップの上面に押し付けた状態に天板を装着することができ、かつ、その装着の操作性を向上できるビルトイン式のガスコンロを提供できる。
又、本発明の第５特徴構成によれば、天板の後端部側部分が、天板引き操作手段によって、下方側に引っ張り操作して固定され、そして、天板の前端部側及び左右端部側が、天板の下方に突出する固定用突起を天板固定手段によって、下方側に引っ張り操作して固定されることにより、天板が下方側に引っ張り操作されて固定されることになる。
つまり、天板の下方側から操作を行うにあたり、天板の前端部側や左右端部側については、手が届き易いため、構成の簡素化を図ることができる天板固定手段によって、天板を下方側に引っ張り操作して固定するようにする。
そして、天板の下方側から操作を行うにあたり、天板の後端部側については、手が届き難いため、回転操作部が本体部の底面部に位置されていることにより、操作し易い天板引き操作手段によって、天板を下方側に引っ張り操作して固定するようにする。
ちなみに、天板の固定用突起を下方側に引っ張り操作して固定する天板固定手段は、天板の下方側より操作可能に設けられるものであるから、天板引き操作手段と同様に、天板固定手段がカウンタトップの上方に露出することがないため、カウンタトップの上方箇所を外観が美麗な状態にすることができる。
要するに、本発明の第５特徴構成によれば、上記した作用効果に加えて、操作性が良く、しかも、構成の簡素化を図ることができる形態で、天板の周縁部を下方側に引っ張り操作して固定することができるビルトイン式のガスコンロを提供できる。
又、本発明の第５特徴構成によれば、天板の下方に突出する状態で設ける固定用突起が、外周に雄ネジが形成された棒状体として構成されて、本体部を覆う状態に天板を装着したときに、本体部の鍔部に形成した挿通孔を貫通して下方に突出することになる。
このような状態において、天板の下方側より、天板固定手段としての雌ネジ部材を、固定用突起における鍔部の下方に突出する部分に螺合させて、締め付けるように回動操作することにより、雌ネジ部材が、鍔部に対して固定用突起を下方側に引っ張り操作することになるため、天板のトップの周縁部をカウンタトップの上面に押し付けることができるものとなる。
【００４９】
このように、本体部が備える鍔部を有効利用して、固定用突起を下方側に引っ張り操作して固定するものであるから、簡素な構成にて、固定用突起を下方側に引っ張り操作して固定することができる。
【００５０】
要するに、本発明の第５特徴構成によれば、上記した作用効果に加えて、簡素な構成にて、固定用突起を下方側に引っ張り操作して固定することができるビルトイン式のガスコンロを提供できる。
【００５１】
本発明の第６特徴構成は、上記第３〜第５特徴構成のいずれかに加えて、
前記本体部を前記開口の縁部からの浮き上がりを阻止するように止着する本体部止着手段が装備されている点を特徴とする。
【００５２】
すなわち、本体部止着手段によって、開口の縁部から本体部が浮き上がることを阻止させているから、本体部の重量のみにて、その浮き上がりを阻止する場合に較べて、天板引き操作手段の引っ張り操作力を大きくしても、本体部が浮き上がることを抑制できるため、天板引き操作手段の引っ張り操作力を大きくして、天板の周縁部をカウンタトップの上面に大きな圧力にて押し付けた状態にすることができる。
【００５３】
説明を加えると、本体部を覆う状態に天板を装着した状態において、天板引き操作手段にて天板を引っ張り操作すると、天板の周縁部がカウンタトップの上面に押付けられるに伴って、本体部を浮き上がらせるようにする力が作用するものとなるが、本体部止着手段によって、開口の縁部から本体部が浮き上がることを阻止させているから、本体部の重量のみにて、その浮き上がりを阻止する場合に較べて、天板引き操作手段の引っ張り操作力を大きくできるのである。
尚、特徴構成５〜８を引用する場合においては、天板固定手段の引っ張り操作力を大きくできることになる。
【００５４】
要するに、本発明の第６特徴構成によれば、上記した第３〜第５特徴構成のいずれかによる作用効果に加えて、天板の周縁部をカウンタトップの上面に大きな圧力にて押し付けた状態にすることができるビルトイン式のガスコンロを提供できる。
【００５５】
本発明のビルトイン式のガスコンロは、コンロバーナを備える本体部が、カウンタトップに形成した矩形状の開口に挿入される状態で、且つ、その上端に備える鍔部が前記カウンタトップ側に係止支持される状態で、前記カウンタトップに組み付けられ、
前記カウンタトップに組み付けられた前記本体部を覆い且つ周縁部が前記カウンタトップの上面に接当する状態に装着される天板が設けられたものであって、その第７特徴構成は、
回転式操作部を回転操作することにより前記天板を下方側に引っ張り操作して固定する天板引き操作手段が、前記回転式操作部を前記本体部の底面部に位置させた状態で、前記本体部に設けられ、
前記天板引き操作手段が、前記天板の後端部側を下方側に引っ張り操作して固定するように設けられ、
前記天板の前端部側及び左右端部側に、下方に突出する固定用突起が設けられ、
前記固定用突起を下方側に引っ張り操作して固定する天板固定手段が、前記天板の下方側より操作可能に設けられ、
前記固定用突起が、外周に雄ネジが形成された棒状体であり、
前記カウンタトップに、前記固定用突起を下方に挿通させる挿通孔が形成され、
前記天板固定手段が、前記固定用突起における前記カウンタトップの下方に突出する部分に螺合され且つ前記カウンタトップの下面に当て付けられる雌ネジ部材を用いて構成されている点を特徴とする。
【００５６】
すなわち、本体部を覆うように天板を装着した状態において、天板引き操作手段の回転式操作部を回転操作することにより、天板を下方側に引っ張り操作して固定することができる。
そして、天板引き操作手段によって下方側に引っ張り操作されて固定された状態の天板は、その周縁部がカウンタトップの上面に押し付けられた状態となるのであり、その周縁部とカウンタトップの上面との間を通して、煮汁等の液分が侵入することを的確に抑制できる。
また、天板引き操作手段が、本体部に設けられるものであるから、本体部を覆う状態に天板を装着したときには、天板引き操作手段が天板にて覆われることになり、天板引き操作手段がカウンタトップの上方に露出することがないため、カウンタトップの上方箇所を外観が美麗な状態にすることができるのである。
そして、天板引き操作手段の回転操作部が、本体部の底面部に位置させた状態で設けられているから、カウンタトップの開口に装着された本体部の下方側より、回転操作部を回転操作し易いため、天板引き操作手段にて天板を下方側に引っ張り操作することを良好に行える。
つまり、例えば、天板引き操作手段の回転操作部が、本体部における背面側の側面部に設けられると、見え難く、手が届き難いため、回転操作し難いものとなるが、本体部の底面部に位置する回転操作部は、本体部の下方側より、良好に操作できるのである。
要するに、本発明の第７特徴構成によれば、カウンタトップの上方箇所を外観が美麗な状態にすることができ、しかも、天板の周縁部をカウンタトップの上面に押し付けた状態に天板を装着することができ、かつ、その装着の操作性を向上できるビルトイン式のガスコンロを提供できる。
又、本発明の第７特徴構成によれば、天板の後端部側部分が、天板引き操作手段によって、下方側に引っ張り操作して固定され、そして、天板の前端部側及び左右端部側が、天板の下方に突出する固定用突起を天板固定手段によって、下方側に引っ張り操作して固定されることにより、天板が下方側に引っ張り操作されて固定されることになる。
つまり、天板の下方側から操作を行うにあたり、天板の前端部側や左右端部側については、手が届き易いため、構成の簡素化を図ることができる天板固定手段によって、天板を下方側に引っ張り操作して固定するようにする。
そして、天板の下方側から操作を行うにあたり、天板の後端部側については、手が届き難いため、回転操作部が本体部の底面部に位置されていることにより、操作し易い天板引き操作手段によって、天板を下方側に引っ張り操作して固定するようにする。
ちなみに、天板の固定用突起を下方側に引っ張り操作して固定する天板固定手段は、天板の下方側より操作可能に設けられるものであるから、天板引き操作手段と同様に、天板固定手段がカウンタトップの上方に露出することがないため、カウンタトップの上方箇所を外観が美麗な状態にすることができる。
要するに、本発明の第７特徴構成によれば、上記した作用効果に加えて、操作性が良く、しかも、構成の簡素化を図ることができる形態で、天板の周縁部を下方側に引っ張り操作して固定することができるビルトイン式のガスコンロを提供できる。
又、本発明の第７特徴構成によれば、天板の下方に突出する状態で設ける固定用突起が、外周に雄ネジが形成された棒状体として構成されて、本体部を覆う状態に天板を装着したときに、カウンタトップに形成した挿通孔を貫通して下方に突出することになる。
このような状態において、天板の下方側より、天板固定手段としての雌ネジ部材を、固定用突起におけるカウンタトップの下方に突出する部分に螺合させて、締め付けるように回動操作することにより、雌ネジ部材が、カウンタトップに対して固定用突起を下方側に引っ張り操作することになるため、天板のトップの周縁部をカウンタトップの上面に押し付けることができるものとなる。
【００５７】
このように、天板の周縁部を押し付けることになるカウンタトップに対して、天板を直接的に締め付け固定して、天板の周縁部をカウンタトップの上面に押し付けるものであるから、天板の周縁部をカウンタトップの上面に大きな圧力にて押し付けた状態にすることができる。
【００５８】
要するに、本発明の第７特徴構成によれば、上記した作用効果に加えて、天板の周縁部をカウンタトップの上面に大きな圧力にて押し付けた状態にすることができるビルトイン式のガスコンロを提供できる。
本発明の第８特徴構成は、上記した第１〜第７特徴構成のいずれかに加えて、
前記開口における前記鍔部を係止支持するための縁部が、前記カウンタトップの上面よ
りも下方側に位置する段部状に形成され、
前記天板が、前記開口に嵌合される状態で且つその周縁部の上端側に鍔状に備える接当部を前記カウンタトップの上面に接当させた状態で装着されている点を特徴とする。
すなわち、カウンタトップの開口における本体部の鍔部を係止支持するための縁部が、カウンタトップの上面よりも下方側に位置する段部状に形成されて、天板が、開口に嵌合される状態で装着される。
そして、天板の周縁部の上端側に、鍔状に備えさせた接当部が、カウンタトップの上面に接当されることになる。
このように、天板が開口に嵌合される状態で装着されるものであるから、例えば、カウンタトップの上面と天板の上面とを同じ高さにする等、カウンタトップの上面と天板の上面との高さが大きく異ならない状態にできるため、カウンタトップの上方箇所の外観を一層美麗な状態にすることができる。
そして、天板の周縁部の接当部が、カウンタトップの上面に押し付けられた状態で接当することになるため、その周縁部の接当部とカウンタトップの上面との間を通して、煮汁等の液分が侵入することを的確に抑制できる。
要するに、本発明の第８特徴構成によれば、上記した第１〜第７特徴構成のいずれかによる作用効果に加えて、カウンタトップの上方箇所の外観を一層美麗な状態にすることができるビルトイン式のガスコンロを提供できる。
【図面の簡単な説明】
【００５９】
【図１】左端高火力型コンロを装備した加熱調理設備の斜視図
【図２】右端高火力型コンロを装備した加熱調理設備の斜視図
【図３】第１実施形態のガスコンロ装着部の縦断側面図
【図４】ガスコンロを離脱させた状態のガスコンロ装着部の切欠正面図
【図５】第１実施形態のガスコンロ装着部の切欠き正面図
【図６】同部を破断した状態の斜視図
【図７】ガスコンロの天板を外した状態の平面図
【図８】ガスコンロを破断した状態の斜視図
【図９】ガスコンロ装着部の前端側箇所を示す縦断側面図
【図１０】ガスコンロ装着部の後端側箇所を示す縦断側面図
【図１１】載置枠の左端高火力型コンロ用の縦枠部分を示す斜視図
【図１２】図１１におけるＸＩＩ−ＸＩＩ線矢視図
【図１３】載置枠の横枠部分を示す斜視図
【図１４】同枠部分の縦断側面図
【図１５】載置枠の右端高火力型コンロ用の縦枠部分を示す斜視図
【図１６】図１５におけるＸＶＩ−ＸＶＩ線矢視図
【図１７】天板の平面図
【図１８】天板の裏面図
【図１９】天板の正面図
【図２０】ガラスプレート固定部の縦断側面図
【図２１】ガラスプレート固定具の斜視図
【図２２】天板引き操作手段の切欠き側面図
【図２３】同手段の切欠き側面図
【図２４】同手段の正面図
【図２５】本体部固定手段の斜視図
【図２６】同手段の分解斜視図
【図２７】誤設置状態を示す破断斜視図
【図２８】誤設置状態を示す破断斜視図
【図２９】第２実施形態の縦断側面図
【図３０】第２実施形態の要部の縦断側面図
【図３１】第２実施形態の縦断正面図
【図３２】第２実施形態の縦断正面図
【図３３】第３実施形態の縦断側面図
【図３４】第３実施形態の要部の縦断側面図
【図３５】第３実施形態の縦断正面図
【図３６】第３実施形態の縦断正面図
【発明を実施するための形態】
【００６０】
〔第１実施形態〕
次に、本発明の第１実施形態を図面に基づいて説明する。
図１及び図２に示すように、コンロバーナ１を横幅方向に並べた状態で備えるビルトインコンロとしてのビルトイン式のガスコンロＧが、キッチンカウンターＫのカウンタトップＫａに形成した矩形状の開口２（図７参照）に挿入される状態で装着されて加熱調理設備が構成されている。
【００６１】
本実施形態においては、コンロバーナ１として、３つのコンロバーナ１Ｌ、１Ｍ、１Ｒが横方向に並べて備えられている。
そして、ガスコンロＧとして、３つのコンロバーナ１Ｌ〜１Ｒのうちの、一端側のコンロバーナとしての左端のコンロバーナ１Ｌの最大火力が、他端側のコンロバーナとしての右端のコンロバーナ１Ｒの最大火力よりも大きくなるように構成された左端高火力型コンロＧＬ（図１参照）と、３つのコンロバーナ１Ｌ〜１Ｒのうちの、一端側のコンロバーナとしての右端のコンロバーナ１Ｒの最大火力が、他端側のコンロバーナとしての左端のコンロバーナ１Ｌの最大火力よりも大きくなるように構成された右端高火力型コンロＧＲ（図２参照）とがある。
【００６２】
ちなみに、本実施形態においては、左端高火力型コンロＧＬにおける中間のコンロバーナ１Ｍの最大火力が、左端のコンロバーナ１Ｌと同じ火力となるように構成され、右端高火力型コンロＧＲにおける中間のコンロバーナ１Ｍの最大火力が、右端のコンロバーナ１Ｒと同じ火力となるように構成されているが、中間のコンロバーナ１Ｍの最大火力は、種々変更できるものである。
【００６３】
また、カウンタトップＫａに形成される開口２が、カウンタトップＫａの横幅方向において、３つのコンロバーナ１Ｌ〜１Ｒのうちの最大火力が一端側のコンロバーナよりも低い他端側のコンロバーナが存在する側に偏った位置に形成されている。
すなわち、キッチンカウンターＫとして、開口２がカウンタトップＫａの横幅方向において右側に偏った位置に形成された左端高火力型用カウンターＫＬ（図１参照）と、開口２がカウンタトップＫａの横幅方向において左側に偏った位置に形成された右端高火力型用カウンターＫＲ（図２参照）とがある。
【００６４】
そして、左端高火力型コンロＧＬを左端高火力型用カウンターＫＬに装着した状態や、右端高火力型コンロＧＲを右端高火力型用カウンターＫＲに装着した状態においては、３つのコンロバーナ１Ｌ〜１Ｒのうちの最大火力が高火力となる一端側のコンロバーナとそのコンロバーナに隣接するカウンタトップＫａの横端部との間隔ＬＨが、３つのコンロバーナ１Ｌ〜１Ｒのうちの最大火力が一端側のコンロバーナよりも低い他端側のコンロバーナとそれに隣接するカウンタトップＫａの横端部との間隔Ｌｈよりも大きくなるように構成されている。
【００６５】
したがって、左端高火力型コンロＧＬを装着した左端高火力型用カウンターＫＬや、右端高火力型コンロＧＲを装着した右端高火力型用カウンターＫＲは、建物の壁部がその両横側のいずれの側に位置しても、建物の壁部を過熱することを回避できるものとなる。
つまり、キッチンカウンターＫの設置箇所が、左右いずれの側に壁部が存在する場合であっても、使用者の好みに合わせて、左端高火力型コンロＧＬを装着した左端高火力型用カウンターＫＬ及び右端高火力型コンロＧＲを装着した右端高火力型用カウンターＫＲを選択して設置できるものとなる。
【００６６】
以下、左端高火力型コンロＧＬ及び左端高火力型用カウンターＫＬを代表にして、ガスコンロＧ及びキッチンカウンターＫについて説明を加える。
尚、以下の説明において、３つのコンロバーナ１Ｌ〜１Ｒを区別する必要がないときには、単に、コンロバーナ１と記載し、左端高火力型コンロＧＬと右端高火力型コンロＧＲとを区別する必要がないときには、単に、ガスコンロＧと記載し、さらに、左端高火力型用カウンターＫＬと右端高火力型用カウンターＫＲとを区別する必要が無いときには、単に、キッチンカウンターＫと記載する。
【００６７】
図３及び図４に示すように、ガスコンロＧは、コンロバーナ１を備える本体部Ｇ１、天板Ｇ２、及び、操作部Ｇ３を主要部として構成されている。
本体部Ｇ１が、カウンタトップＫａの開口２に挿入される状態で、且つ、その上端に備える鍔部３がカウンタトップ側に係止支持される状態で、カウンタトップＫａに組み付けられている。
天板Ｇ２が、カウンタトップＫａに組み付けられた本体部Ｇ１を覆い且つ周縁部をカウンタトップＫａの上面に接当させる状態に装着され、また、天板Ｇ２の上部には、五徳Ｄが装備されている。
【００６８】
本体部Ｇ１は、図８にも示すように、底壁及び側壁を備えた金属製の有底筒状のケーシング４の内部に、コンロバーナ１等の機器類を収納して構成され、そのケーシング４の上端に、そのケーシング４と一体形成される状態で鍔部３が設けられている。
【００６９】
ケーシング４は、上方側部分４Ｕが下方側部分４Ｄよりも、平面視形状が大きくなるように形成されており、図３及び図８に示すように、上方側部分４Ｕが、下方側部分４Ｄよりも前方側に大きく張り出す張り出し部４Ｕｈを前方側に備えるように構成されている。
そして、上方側部分４Ｕの張り出し部４Ｕｈの下面を利用して、後述の如く、ケーシング４がキッチンカウンターＫに固定されるようになっている。
【００７０】
本実施形態においては、本体部Ｇ１が、カウンタトップＫａの前縁よりも後方側に大きく引退した位置に装着され、天板Ｇ２が、本体部Ｇ１の装着箇所を覆う状態で装着されており、カウンタトップＫａにおける天板Ｇ２よりも前側部分が、調理作業面を構成するようになっている。
【００７１】
操作部Ｇ３は、横長の帯板状に形成されて、その上面部に、３つのコンロバーナ１Ｌ〜１Ｒの点火及び消火、並びに、火力調整等の操作を行う操作スイッチ類を備えている。
そして、上述の如く、本体部Ｇ１や天板Ｇ２がカウンタトップＫａの前縁よりも後方側に引退した位置に装着されるのに対して、操作部Ｇ３は、キッチンカウンターＫの前縁側部分に装着されている。
【００７２】
具体的には、操作部Ｇ３が、カウンタトップＫａの下方側に収納される収納位置とカウンタトップＫａの前方側に突出する突出位置とに位置変更自在に支持されて、突出位置に位置された状態において、３つのコンロバーナ１Ｌ〜１Ｒの点火及び消火、並びに、火力調整等の操作を行えるようになっている。
尚、例示はしないが、収納位置に位置する操作部Ｇ３を後方側に少し押し込み操作することにより、操作部Ｇ３を突出位置に自動的に位置変更操作し、突出位置に位置する操作部Ｇ３を収納位置に押し込み操作することにより、収納位置に自動的に保持する操作部保持機構が設けられている。
【００７３】
また、図１に示すように、キッチンカウンターＫの前面における操作部Ｇ３の横側箇所には、消火ボタンＢが装備されており、操作部Ｇ３を収納位置に収納してコンロバーナ１を燃焼させている状態において、コンロバーナ１を消火するときに、この消火ボタンＢを押し操作することにより、コンロバーナ１を消火させることができるようになっている。
ちなみに、消火ボタンＢが押し操作されると、３つのコンロバーナ１Ｌ、１Ｍ、１Ｒのうちの点火しているものが全て消火されることになる。
【００７４】
本体部Ｇ１の鍔部３は、図７及び図８に示すように、本体部Ｇ１の前側に延びる前側の鍔部分３Ｆ、本体部Ｇ１の後側に延びる後側の鍔部分３Ｂ、本体部Ｇ１の左側に延びる左側の鍔部分３Ｌ、及び、本体部Ｇ１の右側に延びる右側の鍔部分３Ｒからなる。
これら鍔部分３Ｆ〜３Ｒは、本体部Ｇ１の同じ高さに形成されている。
【００７５】
そして、本体部Ｇ１の鍔部３を含めた前後幅及び横幅が、開口２の前後幅及び横幅よりも小さく形成され、鍔部３を載置支持する載置枠５が、開口２の縁部に係止支持される状態で設けられている。
そして、鍔部３が、開口２の縁部にて係止支持された載置枠５の縁部載置面Ｓに載置されることにより、カウンタトップ側に係止支持されるように構成されている。
【００７６】
開口２の縁部が、カウンタトップＫａの上面よりも下方側に位置する段部状に形成されており、載置枠５が、段部状の縁部に載置されるようになっている。
本実施形態においては、段部状の縁部として、図３、図４、及び、図７に示すように、開口２の前縁に沿って形成される前方側の縁部ＥＦ、開口２の後縁に沿って形成される後方側の縁部ＥＢ、開口２の左縁に沿って形成される左方側の縁部ＥＬ、及び、開口２の右縁に沿って形成される右方側の縁部ＥＲが設けられている。ちなみに、これら縁部ＥＦ〜ＥＲの上面の高さは同じ高さである。
【００７７】
載置枠５が、図７に示す如く、カウンタトップＫａの前後幅方向に伸びる長尺状に形成されて、その前後両端が開口２の前方側及び後方側の縁部ＥＦ、ＥＢに係止支持されるように載置される左右一対の縦枠部分５Ａ、及び、カウンタトップＫａの横幅方向に伸びる長尺状に形成されて、その左右端部が左右一対の縦枠部分５Ａに係止支持されるように載置され、且つ、開口２の前方側の縁部ＥＦに隣接する箇所に配置される横枠部分５Ｂを備えるように構成されている。
ちなみに、本実施形態においては、開口２の前方側の縁部ＥＦに隣接する箇所に横枠部分５Ｂを位置させる状態が、開口２の前方側の縁部ＥＦに隣接する設定組付位置に横枠部分５Ｂを位置させる状態に相当する。
【００７８】
そして、鍔部３における本体部Ｇ１の左右に位置する左右鍔部分３Ｌ、３Ｒが、左右一対の縦枠部分５Ａに載置され、鍔部３における本体部Ｇ１の前後に位置する前後鍔部分３Ｆ、３Ｂのうちの、横枠部分５Ｂが存在する側の前方側の鍔部分３Ｆが、横枠部分５Ｂに載置され、横枠部分５Ｂが存在しない側の後方側の鍔部分３Ｂが、後方側の縁部ＥＢに載置されるように構成されている。
【００７９】
左右の縦枠部分５Ａは、同じ仕様であって、図１１及び図１２に示すように、断面形状逆Ｕ字状の主体部分Ａ１の両端に、前後の縁部ＥＦ、ＥＢに係止支持されるように載置される板状の端部部分Ａ２を備えるものであり、主体部分Ａ１の上面にて、鍔部載置面Ｓが形成されている。
また、主体部分Ａ１が、端部部分Ａ２に対して、その端部部分Ａ２の板厚部分だけ下方に位置するよう形成されており、主体部分Ａ１の上面にて形成される鍔部載置面Ｓが、前後や左右の縁部ＥＦ〜ＥＲの上面の高さと同じ高さになるように構成されている。
【００８０】
横枠部分５Ｂは、図１３及び図１４に示すように、断面形状逆Ｕ字状の主体部分Ｂ１の両端に、左右の縦枠部分Ａ１に係止支持されるように載置される板状の端部部分Ｂ２を備えるものであり、主体部分Ｂ１の上面にて、鍔部載置面Ｓが形成されている。
また、主体部分Ｂ１が、端部部分Ｂ２に対して、その端部部分Ｂ２の板厚部分だけ下方に位置するよう形成されており、主体部分Ｂ１の上面にて形成される鍔部載置面Ｓが、前後や左右の縁部ＥＦ〜ＥＲの上面の高さと同じ高さとなるように構成されている。
【００８１】
横枠部分５Ｂの端部部分Ｂ２には、下向きの舌片６が切り出し形成され、縦枠部分５Ａの主体部分Ａ１における開口２の前縁側に相当する部分には、横枠部分５Ｂの舌片６が嵌合する嵌合孔７が形成されている。
尚、縦枠部分５Ａは、開口２における左方側箇所に配置する場合と右方側箇所に配置する場合とがあり、且つ、横枠部分５Ｂが縦枠部分５Ａに載置された状態において、横枠部分５Ｂの舌片６が縦枠部分５Ａの横幅方向における中央よりも端部側に位置するため、縦枠部分５Ａには、嵌合孔７が左右一対形成されている。
【００８２】
そして、本実施形態においては、左右一対の縦枠部分５Ａに形成された嵌合孔７と横枠部分５Ｂに形成された舌片６とが、左右一対の縦枠部分５Ａが前後適正姿勢で開口２の縁部に装着された場合には、設定組付位置に位置させた横枠部分５Ｂの両端部を左右一対の縦枠部分５Ａに載置するときに係合状態となり、左右一対の縦枠部分５Ａが前後反転姿勢で開口２の縁部に装着された場合には、設定組付位置に位置させた横枠部分５Ｂの両端部を左右一対の縦枠部分５Ａに載置するときに非係合状態となる載置牽制用係合部として機能するように構成されている。
【００８３】
図１１及び図１２に示す縦枠部分５Ａは、左端高火力型コンロＧＬを左端高火力型用カウンターＫＬに装着する際に使用するものであり、その上面には、「Ｌ」のマークが刻印されている。
そして、図１５及び図１６に示す縦枠部分５Ａは、右端高火力型コンロＧＲを右端高火力型用カウンターＫＲに装着する際に使用するものであり、その上面には、「Ｒ」のマークが刻印されている。
つまり、左端高火力型コンロＧＬに使用する縦枠部分５Ａと横枠部分５Ｂとから、左端高火力型用の載置枠５Ｌが構成され、また、右端高火力型コンロＧＲに使用する縦枠部分５Ａと横枠部分５Ｂとから、右端高火力型用の載置枠５Ｒが構成されている。
【００８４】
左端高火力型コンロＧＬに使用する縦枠部分５Ａと、右端高火力型コンロＧＲに使用する縦枠部分５Ａとは、同様に構成されるものであるが、誤設置防止のために、一部が異なる状態に構成されている。
すなわち、左端高火力型コンロＧＬに使用する縦枠部分５Ａにおいては、図１１及び図１２に示すように、主体部分Ａ１の左右の縦壁部ＡＬ、ＡＲのうちの左側の縦壁部ＡＬが、右側の縦壁部ＡＲよりも長くなる状態に形成されて、その先端部にて牽制用凸部Ｆａが構成されている。
これに対して、右端高火力型コンロＧＲに使用する縦枠部分５Ａにおいては、図１５及び図１６に示すように、主体部分Ａ１の左右の縦壁部ＡＬ、ＡＲのうちの右側の縦壁部ＡＲが、左側の縦壁部ＡＬよりも長くなる状態に形成されて、その先端部にて牽制用凸部Ｆａが構成される。
【００８５】
そして、図４〜図６及び図２７に示すように、左端高火力型用カウンターＫＬにおける開口２の右側の縁部ＥＲよりも内方側の下方箇所には、左端高火力型コンロ用の載置枠５Ｌにおける縦枠部分５Ａが開口２の縁部に装着されるのを許容しかつ右端高火力型コンロ用の載置枠５Ｒにおける縦枠部分５Ａが開口２の縁部に装着されるのを牽制用凸部Ｆａとの接当により牽制する牽制用当たり部Ｆｂが設けられている。
つまり、右端高火力型コンロ用の載置枠５Ｒを左端高火力型用カウンターＫＬに装着しようとすると、牽制用凸部Ｆａが牽制用当たり部Ｆｂに接当して、右側の縦枠部分５Ａが傾くことになり、本体部Ｇ１を装着できないことになる。
【００８６】
また、図２８に示すように、右端高火力型用カウンターＫＲにおける開口２の左側の縁部ＥＬよりも内方側の下方箇所には、右端高火力型コンロ用の載置枠５Ｒにおける縦枠部分５Ａが開口２の縁部に装着されるのを許容しかつ左端高火力型コンロ用の載置枠５Ｌにおける縦枠部分５Ａが開口２の縁部に装着されるのを牽制用凸部Ｆａとの接当により牽制する牽制用当たり部Ｆｂが設けられている。
つまり、左端高火力型コンロ用の載置枠５Ｌを右端高火力型用カウンターＫＲに装着しようとすると、牽制用凸部Ｆａが牽制用当たり部Ｆｂに接当して、左側の縦枠部分５Ａが傾くことになり、本体部Ｇ１を装着できないことになる。
【００８７】
したがって、牽制用凸部Ｆａと牽制用当たり部Ｆｂとの接当により、左端高火力型コンロＧＬの右端高火力型用カウンターＫＲへの装着を牽制し、かつ、右端高火力型コンロＧＲの左端高火力型用カウンターＫＬへの装着を牽制して、左端高火力型用カウンターＫＬには左端高火力型コンロＧＬが装着され、かつ、右端高火力型用カウンターＫＲには右端高火力型コンロＧＲが装着される適正な装着状態を的確に現出できるように構成されている。
【００８８】
すなわち、本実施形態においては、左端高火力型コンロＧＬの左端高火力型用カウンターＫＬへの装着を許容しかつ右端高火力型用カウンターＫＲへの装着を牽制し、且つ、右端高火力型コンロＧＲの右端高火力型用カウンターＫＲへの装着を許容しかつ左端高火力型用カウンターＫＬへの装着を牽制する誤設置防止用牽制手段Ｆが、左端高火力型コンロ用の載置枠５Ｌの左端高火力型用カウンターＫＬへの装着を許容しかつ右端高火力型用カウンターＫＲへの装着を牽制し、且つ、右端高火力型コンロ用の載置枠５Ｒの右端高火力型用カウンターＫＲへの装着を許容しかつ左端高火力型用カウンターＫＬへの装着を牽制する手段として構成されるものであり、具体的には、誤設置防止用牽制手段Ｆが、牽制用凸部Ｆａと牽制用当たり部Ｆｂとから構成されている。
【００８９】
上述の如く、開口２の縁部、つまり、前方側の縁部ＥＦ、後方側の縁部ＥＢ、左方側の縁部ＥＬ、及び、右方側の縁部ＥＲが、カウンタトップＫａの上面よりも下方側に位置する段部状に形成されているため、天板Ｇ２が、開口２に嵌合される状態で装着されて、その上面がカウンタトップＫａの上面と同じ高さになるように構成さている。
【００９０】
天板Ｇ２は、図１７〜図２０に示すように、ガラスプレート１０、そのガラスプレート１０の下面側に位置する金属製の載置プレート１１、及び、周縁枠１２を主要部として構成されている。
周縁枠１２は、図２０に示すように、断面形状がＴ字状であり、上部の外側延出部分が、パッキン１３を介してカウンタトップＫａの上面に接当するカウンタトップ接当部分１２ａとして構成され、上部の内側延出部分が、ガラスプレート１０の上面に接当するガラスプレート接当部分１２ｂとして構成されている。
【００９１】
周縁枠１２の内面側部分には、図２０に示すように、載置プレート１１を載置支持するガラスプレート固定具１４が、周縁枠１２の長手方向の複数箇所に設けられている。
このガラスプレート固定具１４は、図２１に示すように、周縁枠１２の長手方向に沿って伸びる長尺状でかつ緩やかに弓形状に湾曲する縦板部分１４ａ、及び、この縦板部分１４ａの両端部から水平方向に突出する支持板部分１４ｂを主要部として構成され、縦板部分１４ａには、周縁枠１２の内面側部に形成した係合凹部１２ｃに係合する係合凸部１４ｃが、打ち出し形成されている。
【００９２】
したがって、ガラスプレート固定具１４が、縦板部分１４ａの係合凸部１４ｃを周縁枠１２の係合凹部１２ｃに係合させた状態で、周縁枠１２の内面側部に装着されることになり、そして、ガラスプレート１０及び載置プレート１１が、ガラスプレート固定具１４の支持板部分１４ｂと周縁枠１２のガラスプレート接当部分１２ｂとの間に挟まれる状態で、周縁枠１２に支持されるように構成されている。
尚、図２０においては記載を省略するが、周縁枠１２、ガラスプレート固定具１４、ガラスプレート１０の端面部分、及び、載置プレート１１の端面部分にて囲まれる空間部分には、シリコンが充填されるようになっている。
【００９３】
また、天板Ｇ２には、図１７及び図１８に示すように、コンロバーナ１を挿通する開口部が形成され、その開口部には、バーナリング１５が装着されている。
このバーナリング１５は、その下面側においてはコンロバーナ１と係合し、かつ、その上面側においては五徳Ｄを位置決め保持するように構成されている。
【００９４】
キッチンカウンターＫは、図１及び図２に示すように、下方枠部分Ｄ１と上方枠部分Ｄ２とが段積みされた状態に構成され、上方枠部分Ｄ２の上部に、カウンタトップＫａが装着されている。
上方枠部分Ｄ２は、図３〜図５に示すように、左右の側板１６Ａ、背板１６Ｂ、底板１６Ｃ、及び、底板１６Ｃから立設された仕切り板１６Ｄを備え、また、前面部には、左右の開閉扉１６Ｅ、１６Ｆ、及び、それら開閉扉１６Ｅ、１６Ｆの上方に位置する前側板１６Ｇを備えている。
【００９５】
仕切り板１６Ｄは、上方枠部分Ｄ２の内部空間を左右に仕切るものであって、本実施形態においては、内部空間を左右が不均一となる状態で仕切るように配置されている。そして、左右の開閉扉１６Ｅ、１６Ｆが、仕切り板１６Ｄの仕切り位置に合わせた大きさに形成されている。
尚、例示図では、左端高火力型用カウンターＫＬでは、右方側の方を左方側よりも大きな空間とするように仕切り板１６Ｄが配置され、右端高火力型用カウンターＫＲでは、左方側の方を右方側よりも大きな空間とするように仕切り板１６Ｄが配置されている。
【００９６】
上方枠部分Ｄ２の内部の上方側箇所で、且つ、本体部Ｇ１のケーシング４における上方側部分４Ｕの張り出し部４Ｕｈの下方に相当する箇所に、キッチンカウンターＫの横幅方向に伸びる木製の連結板１７が設けられている。
この連結板１７は、左右の側板１６Ａに亘る大きさに形成され、また、ケーシング４の上方側部分４Ｕの張り出し部４Ｕｈの下方に位置する部分の高さが、ケーシング４の上方側部分４Ｕの底面が位置する高さよりも少し低い高さとなり、かつ、左右の端部側部分の高さが、カウンタトップＫａの底面に接触する高さとなるように構成されている。
【００９７】
そして、連結板１７は、左右の端部側部分が左右の側板１６Ａに接続され、かつ、左右の端部側部分の上面が、カウンタトップＫａの底面に接続されて、上方枠部分Ｄ２の強度部材として、機能するように構成されている。
尚、連結板１７とケーシング４の上方側部分４Ｕの張り出し部４Ｕｈの底面との間には、シール材１８が配設されている（図３参照）。
【００９８】
連結板１７と前側板１６Ｇとの間に、左右の側板１６Ａに亘る大きさの薄板状の前遮蔽板１９が配設され、その前遮蔽板１９よりも上方の空間が、上述した操作部Ｇ３や、その操作部Ｇ３と本体部Ｇ１とを接続する電線類等を配設する収納空間として機能するように構成されている。
この前遮蔽板１９は、後端側が連結板１７の前面の凹溝に嵌合し、且つ、前端側が前側板１６Ｇの裏面側に設けられた枠体に着脱自在にビス等により連結された状態で設けられて、着脱できるように構成されており、後述の如く、ガスコンロＧの本体部Ｇ１や天板Ｇ２を装着する作業を行うときには、取り外されることになる。
【００９９】
連結板１７の下方部と背板１６Ｂとの間には、本体部Ｇ１の下方側箇所を覆う後遮蔽板２０が設けられている。
この後遮蔽板２０は、左右の側板１６Ａに亘る大きさに形成されて、両端部が左右の側板１６Ａに着脱自在に接続されており、後述の如く、ガスコンロＧの本体部Ｇ１や天板Ｇ２を装着する作業を行うときには、取り外されることになる。
【０１００】
ちなみに、上方枠部分Ｄ２の内部の上方側空間、つまり、ガスコンロＧが配設されることになる上方側空間が、前遮蔽板１９、連結板１７、及び、後遮蔽板２０にて、下方側空間と遮蔽されるため、開閉扉１６Ｅ、１６Ｆを開閉したときに、上方側空間内に空気が出入することが抑制されて、コンロバーナ１の燃焼に悪影響を与えることが回避されるようになっている。
【０１０１】
本実施形態においては、ガスコンロＧの本体部Ｇ１を開口２の縁部ＥＬ、ＥＲ、ＥＦ、ＥＢからの浮き上がりを阻止するように止着する本体部止着手段Ｐ、及び、天板Ｇ２をカウントトップＫａに押圧するように止着する天板止着手段Ｑが装備されており、以下、本体部止着手段Ｐ、及び、天板止着手段Ｑについて説明する。
【０１０２】
先ず、本体部止着手段Ｐについて説明する。
図３及び図５に示すように、キッチンカウンターＫの内部に配置される連結板１７と本体部Ｇ１のケーシング４における上方側部分４Ｕの張り出し部４Ｕｈの底面とを接続するＬ字状の固定金具２１が、キッチンカウンターＫの横幅方向の３箇所に設けられている。
【０１０３】
固定金具２１は、その下方部が連結板１７の前面に当て付けた状態で、ビス２２にて連結板１７に締め付け固定され、そして、その上方部が張り出し部４Ｕｈの底面に当て付けた状態で、ビス２３にて張り出し部４Ｕｈの底壁に締め付け固定されている。
つまり、張り出し部４Ｕｈは金属製であるため、その底壁に形成されたビス孔２４に、ビス２３が螺合されるようになっている。
【０１０４】
ちなみに、固定金具２１を設置する手順としては、先ず、その下方部を連結板１７に締め付け固定し、次に、その上方部を張り出し部４Ｕｈに締め付け固定する手順が用いられることになり、このような手順を用いることにより、上方部を張り出し部４Ｕｈに締め付け固定する際に、ケーシング４を下方側に引っ張り操作できるため、本体部Ｇ１の鍔部３を載置枠５や開口２の後方の縁部ＥＢに圧接できることになる。
【０１０５】
図３、図７及び図１０に示すように、カウンタトップＫａの開口２における後方側の縁部ＥＢの下面に当て付ける固定用係止部材２５が、キッチンカウンターＫの横幅方向の２箇所に設けられている。
この固定用係止部材２５は、図２５及び図２６に示すように、キッチンカウンターＫの前後幅方向に沿って伸びる左右の縦壁部２５Ａと、その両縦壁部２５Ａの長手方向の中間部における上部同士を接続する接続部２５Ｂとからなり、縦壁部２５Ａの先端部が、係止作用部として機能するように構成されている。
【０１０６】
縦壁部２５Ａの後端部には、揺動支点形成用の切欠き部２６が先端側に向かって凹入する状態に形成され、また、接続部２５Ｂには、ロック用ボルト２７の螺合孔２８が形成されている。
【０１０７】
この固定用係止部材２５をその長手方向に沿ってスライド自在に且つ上下揺動自在に支持する支持枠２９が、ケーシング４の上部開口の近くに設けた支持台３０（図１０参照）にボルト固定される状態で設けられている。
支持枠２９は、側面視形状が逆Ｕ字状に形成されるものであって、その先端部には、支持台３０に対する接続部２９Ａを備え、その後端部には、固定用係止部材２５における揺動支点形成用の切欠き部２６に係合する揺動支点形成用の突起２９Ｂを備え、さらに、上壁部には、ロック用ボルト２７が上下に貫通する挿通孔３１が、縦壁部２５Ａの長手方向に沿う長孔状に形成されている。
【０１０８】
そして、固定用係止部材２５が、切欠き部２６に突起２９Ｂを係合させ、かつ、接続部２５Ｂを支持枠２９の内部に位置させる状態に配置され、ロック用ボルト２７が、支持枠２９の挿通孔３１を上方から下方に向けて貫通して、その先端を固定用係止部材２５の螺合孔２８に螺合させる状態で配置されている。
【０１０９】
したがって、本体部Ｇ１のケーシング４の上部開口を通して、ロック用ボルト２７の頭部を、キッチンカウンターＫの前後幅方向に沿って移動させることにより、固定用係止部材２５を、キッチンカウンターＫの前後幅方向に沿ってスライド操作でき、また、ロック用ボルト２７を正逆に回転操作することにより、突起２９Ｂを支点として、固定用係止部材２５を上下に揺動操作できるように構成されている。
【０１１０】
ちなみに、固定用係止部材２５の設置手順は、本体部Ｇ１を開口２に装着する際には、固定用係止部材２５をケーシング４の内方に引退させておき、本体部Ｇ１が開口２に装着された後において、固定用係止部材２５を十分に下方側に揺動させた状態で、ロック用ボルト２７をキッチンカウンターＫの後部側に向けてスライド移動させ、その後、固定用係止部材２５を上方に向けて揺動させるように、ロック用ボルト２７を回転操作することになる。
【０１１１】
以上の通り、本実施形態の本体部止着手段Ｐは、本体部Ｇ１の前側部分をＬ字状の固定金具２１にて止着し、且つ、本体部Ｇ１の後側部分を固定用係止部材２５にて止着するように構成されている。
そして、Ｌ字状の固定金具２１を装着する作業は、カウンタトップＫａの下方で行うことになるものの、その固定金具２１を装着する箇所が、キッチンカウンターＫの内部空間のうちの前方側部分であるため、見やすく、手が届き易い箇所であり、固定金具２１を装着する作業を良好に行える。
また、固定用係止部材２５を装着する作業は、カウンタトップＫａの上方側からケーシング４の上部開口を通して、ロック用ボルト２７を操作することにより行えるため、その作業を良好に行える。
【０１１２】
次に、天板止着手段Ｑについて説明する。
図１８、図１９、及び、図２０に示すように、天板Ｇ２の前端部側及び左右端部側には、下方に突出する固定用突起として、頭付きの固定用の雄ネジ部材３２が下方に突出する状態で設けられている。
雄ネジ部材３２は、頭部を載置プレート１１の内方側に位置させ且つ棒状ネジ部を載置プレート１１から突出させた状態に、載置プレート１１に取付けられている。
つまり、固定用突起としての雄ネジ部材３２は、外周に雄ネジが形成された棒状体に相当する。
【０１１３】
この雄ネジ部材３２は、天板Ｇ２が開口２に嵌合された状態において、載置枠５における横枠部分５Ｂの両端部や中間部に対応する位置、及び、縦枠部分５ＡにおけるカウンタトップＫａの奥側に相当する端部に対応する位置に位置させた状態で、天板Ｇ２の周縁部に沿って５つ設けられ、そして、図７及び図１１〜図１４に示すように、載置枠１５の横枠部分５Ｂや縦枠部分５Ａの雄ネジ部材３２に対応する位置には、雄ネジ部材３２を挿通させる挿通孔３３が形成されている。
【０１１４】
また、図３、図５及び図９に示すように、天板Ｇ２が開口２に嵌合された状態において挿通孔３３より突出する雄ネジ部材３２の先端部に螺合され且つ載置枠５の下面に当て付けられる蝶ナット式の雌ネジ部材３４が設けられている。この雌ネジ部材３４は、雄ネジ部材３２を下方側から引っ張り操作して固定し且つ天板Ｇ２の下方側より操作可能な天板固定手段Ｒとして機能することになる。
したがって、天板Ｇ２を装着する際に、雄ネジ部材３２が載置枠５の挿通孔３３を挿通され、その状態において、雌ネジ部材３４を締め付けることにより、載置枠５に対して雄ネジ部材３２を引っ張り操作して、天板Ｇ２を下方側に引っ張り操作した状態に装着できるようになっている。
【０１１５】
ちなみに、本実施形態においては、左右一対の縦枠部分５Ａが前後反転姿勢で開口２の縁部に装着され、かつ、横枠部分５Ｂが、設定組付位置とは反対側に相当する開口２の後方側の縁部に隣接する位置にて、前後反転姿勢の左右一対の縦枠部分５Ａに載置される前後反転組付状態においても、載置牽制用係合部としての舌片６と嵌合孔７とが係合状態となるように構成されるものであるが、載置枠５に形成された挿通孔３３が、左右一対の縦枠部分５Ａ及び横枠部分５Ｂの前後反転組付状態においては、突起部としての雄ネジ部材３２が挿入不能となり、且つ、左右一対の縦枠部分５Ａが前後適正姿勢で開口２の縁部に装着され、かつ、横枠部分５Ｂが、設定組付位置にて、前後適正姿勢の左右一対の縦枠部分５Ａに載置される適正組付状態においては、突起部としての雄ネジ部材３２が挿入する状態で形成される挿入孔として作用することになる。
したがって、天板Ｇ２の雄ネジ部材３２が載置枠５の挿通孔３３に挿入不能となることをもって、載置枠５が前後反転組付状態であることを認識させることができるように構成されている。
【０１１６】
このように、載置枠５が前後反転組付状態であることを認識させることができるため、載置枠５を適正組付状態にて組み付ける状態に装着し直すことにより、上述した誤設置防止用牽制手段Ｆの牽制作用を適切に作用させることができるようになっている。
つまり、誤設置防止用牽制手段Ｆは、上述の説明から明らかな如く、牽制用凸部Ｆａが、装着が牽制されるべき前記左端高火力型用カウンター又は前記右端高火力型用カウンターに対して、左右一対の縦枠部分５Ａが前後反転姿勢で開口２の縁部に装着された場合には、牽制用当たり部Ｆｂと接当しないように構成されることになるため、載置枠５が前後反転組付状態の場合には、牽制作用を適切に発揮しないことになるが、載置枠５が前後反転組付状態であることを認識させて、載置枠５を適正組付状態にて組み付ける状態に装着し直すようにすることができるため、誤設置防止用牽制手段Ｆの牽制作用を適切に作用させることができるのである。
【０１１７】
図３及び図８に示すように、天板Ｇ２の後端側で且つ横幅方向の中央側から下方に向けて突出する状態で天板Ｇ２から連設した被係止片３５を係止して、天板Ｇ２を下方側に引っ張り移動する回動式の係止体３６を備えた天板引き操作手段Ｕが設けられている。
この係止体３６は、図２２〜図２４に示すように、ケーシング４の底壁から上方に延びる状態で設けられた筒状の支持枠体３７の上部に、横軸心Ｘ周りで回動自在に枢支されて、被係止体３５から離間する待機位置（図２２参照）と被係止体３５を係止して下方側に押圧する係止位置（図２３参照）とに回動されるように構成され、且つ、弾性付勢体としての捩りコイル式のスプリング３８によって、待機位置に復帰付勢されている。
【０１１８】
係止体３６を待機位置と係止位置とに回動操作する回転式操作部としての棒状体３９が、支持枠体３７の上端側に設けた雌ネジ部材４０に螺進移動自在に螺合し、且つ、下端側の挿通支持部４１に回転自在及び長手方向に移動自在に支持された状態で設けられている。
そして、棒状体３９を正逆に回転操作して螺進移動させることにより、棒状体３９の先端部にて係止体３６の被操作部３６Ａを押し操作して、係止体３６を待機位置と係止位置とに回動操作するように構成されている。
【０１１９】
また、棒状体３９の下端部の操作作用部３９Ａが、ケーシング４の底壁に形成した操作用開口４２に臨むように位置されて、棒状体３９をケーシング４の外方より回転操作できるように構成されている。
ちなみに、操作作用部３９Ａの端面には、マイナスドライバーやプラスドライバー等の回転操作具が嵌合する嵌合部が形成されて、棒状体３９を大きな力で回転操作できるように構成されている。
【０１２０】
以上の通り、本実施形態の天板止着手段Ｑは、天板Ｇ２の前側部分及び横側部分については天板Ｇ２の下方から突出する状態で設けた雄ネジ部材３２を用いて止着し、且つ、天板Ｇ２の後側部分については係止体３６を用いて止着するように構成されている。
そして、雄ネジ部材３２に雌ネジ部材３４を装着する作業は、カウンタトップＫａの下方で行うことになるものの、本体部Ｇ１の前方や横側方であるため、見やすく、手が届き易い箇所であり、雌ネジ部材３４を装着する作業を良好に行える。
また、係止体３６を回動操作する作業は、カウンタトップＫａの下方で行うものの、本体部Ｇ１の底壁近くで行えるため、その作業を良好に行える。
【０１２１】
〔第２実施形態〕
次に第２実施形態について説明するが、上記第１実施形態と同じ構成については説明を省略する。
上記第１実施形態においては、本体部Ｇ１が載置枠５を用いてカウンタトップＫａに装着される場合を例示したが、この第２実施形態においては、図２９〜図３２に示すように、鍔部３を含めた本体部Ｇ１の前後幅や横幅が、カウンタトップＫの開口２の前後幅や横幅よりも大きく形成されて、本体部Ｇ１の鍔部３が、開口２の前後や左右の縁部ＥＦ〜ＥＲに係止されている。
【０１２２】
そして、上記第１実施形態おいては、天板Ｇ２から下方に突出する状態で設けた固定用突起としての雄ネジ部材３２を挿通させる挿通孔３３が、載置枠５に形成されているが、この第２実施形態においては、挿通孔３３が、本体部Ｇ１の鍔部３に形成されている。
つまり、鍔部３の前方側の鍔部分３Ｆ、及び、左右両横側の鍔部分３Ｌ，３Ｒに、挿通孔３３が形成されている。
【０１２３】
また、上記第１実施形態においては、天板Ｇ２が開口２に嵌合された状態において挿通孔３３より突出する雄ネジ部材３２の先端部に螺合される雌ネジ部材３４が、載置枠５の下面に当て付けられる場合を例示したが、この第２実施形態においては、この雌ネジ部材３４が鍔部３の下面に当て付けられことになる。
ちなみに、この第２実施形態においても、この雌ネジ部材３４は、雄ネジ部材３２を下方側から引っ張り操作して固定し且つ天板Ｇ２の下方側より操作可能な天板固定手段Ｒとして機能することになる。
【０１２４】
ちなみに、この第２実施形態においても、本体部止着手段Ｐが装備されて、本体部Ｇ１の浮き上がりが阻止されており、雌ネジ部材３４の締め付けにより、本体部Ｇ１が浮き上がることが規制されている。
【０１２５】
また、本体部Ｇ１の鍔部３には、牽制用凸部Ｆａを構成する舌片が付設されることになる。つまり、図３１に示すように、左端高火力型コンロＧＬに対応する本体部Ｇ１における鍔部３の鍔部分３Ｌに、牽制用凸部Ｆａが設けられことになり、また、図３２に示すように、右端高火力型コンロＧＲに対応する本体部Ｇ１における鍔部３の右側の鍔部分３Ｒに、牽制用凸部Ｆａが設けられことになる。
【０１２６】
〔第３実施形態〕
次に第３実施形態について説明するが、上記第１実施形態と同じ構成については説明を省略する。
上記第１実施形態においては、本体部Ｇ１が載置枠５を用いてカウンタトップＫａに装着される場合を例示したが、この第３実施形態においては、図３３〜図３６に示すように、カウンタトップＫａの開口２が小さく形成されて、鍔部３を含めた本体部Ｇ１の前後幅や横幅が、カウンタトップＫａの開口２の前後幅や横幅よりも大きくなり、本体部Ｇ１の鍔部３が、開口２の前後や左右の縁部ＥＦ〜ＥＲに係止されている。
【０１２７】
そして、上記第１実施形態おいては、天板Ｇ２から下方に突出する状態で設けた固定用突起としての雄ネジ部材３２を挿通させる挿通孔３３が、載置枠５に形成されているが、この第３実施形態においては、挿通孔３３が、カウンタトップＫａに形成されている。
つまり、本実施形態においては、カウンタトップＫａの開口２が小さく形成されているため、天板Ｇ２の下方に相当する開口の縁部、つまり、開口２の前方側や左右両横側の縁部ＥＦ、ＥＬ、ＥＲに、挿通孔３３が形成されている。
【０１２８】
また、この第３実施形態は、本体部Ｇ１の鍔部３が、開口２の前後や左右の縁部ＥＦ〜ＥＲに係止されている点や、鍔部３に牽制用凸部Ｆａが設けられる点は、上記の第２形態とは同様である。
【０１２９】
そして、上記第１実施形態においては、天板Ｇ２が開口２に嵌合された状態において挿通孔３３より突出する雄ネジ部材３２の先端部に螺合される雌ネジ部材３４が、載置枠５の下面に当て付けられる場合を例示したが、この第３実施形態においては、この雌ネジ部材３４がカウンタトップＫａの下面に当て付けられことになる。
ちなみに、この第３実施形態においても、この雌ネジ部材３４は、雄ネジ部材３２を下方側から引っ張り操作して固定し且つ天板Ｇ２の下方側より操作可能な天板固定手段Ｒとして機能することになる。
【０１３０】
〔別実施形態〕
次に別実施形態を列記する。
（イ）上記実施形態においては、３つのコンロバーナを横幅方向に並べた状態で備えさせる場合を例示したが、４つ以上のコンロバーナを横幅方向に並べた状態で備えさせる形態や、一対のコンロバーナを横幅方向に並べた状態で備えさせる形態で実施してもよい。
【０１３１】
（ロ）上記実施形態では、ガスコンロ装備専用のカウンターに本体部や天板を装備する場合を例示したが、ガスコンロとシンクとを装備する形態のカウンター等、種々のカウンターに装備する形態で実施してもよい。
【０１３２】
（ハ）上記実施形態においては、開口の縁部を段部状に形成して、その段部状の縁部に、載置枠や鍔部を載置する場合を例示したが、開口の縁部として、カウンタトップの上面を用いる形態で実施してもよい。
【０１３３】
（ニ）上記実施形態では、天板の下方に突出する固定用突起として、外周に雄ネジが形成された棒状体である雄ネジ部材を例示したが、固定用突起の構成は各種変更できるものであり、それに合わせて、天板固定手段の構成も各種変更できる。
【０１３４】
（ホ）上記実施形態では、本体部と操作部とが別体に構成されて、本体部がカウンタトップの奥側に配置され、操作部がカウンタトップの前側に配置されるビルトインコンロを例示したが、本体部と操作部とが一体に構成されるビルトインコンロを用いてもよく、そして、キッチンカウンターの構成は、ビルトインコンロの構成に合わせて各種変更できる。
【符号の説明】
【０１３５】
１        コンロバーナ
２        開口
３        鍔部
３Ｆ、３Ｂ前後鍔部分
３Ｌ、３Ｒ左右鍔部分
５        載置枠
５Ａ      縦枠部分
５Ｂ      横枠部分
３２      固定用突起
３３      挿入孔
３４      雌ネジ部材
３５      被係止部
３６      係止体
３６Ａ    被操作部
３９      回転式操作部
４０      雌ネジ部材
Ｇ１      本体部
Ｇ２      天板
Ｐ        本体部止着手段
Ｒ        天板固定手段
Ｕ        天板引き操作手段
【図１】
0005650990.tif 000002
【図２】
0005650990.tif 000003
【図３】
0005650990.tif 000004
【図４】
0005650990.tif 000005
【図５】
0005650990.tif 000006
【図６】
0005650990.tif 000007
【図７】
0005650990.tif 000008
【図８】
0005650990.tif 000009
【図９】
0005650990.tif 000010
【図１０】
0005650990.tif 000011
【図１１】
0005650990.tif 000012
【図１２】
0005650990.tif 000013
【図１３】
0005650990.tif 000014
【図１４】
0005650990.tif 000015
【図１５】
0005650990.tif 000016
【図１６】
0005650990.tif 000017
【図１７】
0005650990.tif 000018
【図１８】
0005650990.tif 000019
【図１９】
0005650990.tif 000020
【図２０】
0005650990.tif 000021
【図２１】
0005650990.tif 000022
【図２２】
0005650990.tif 000023
【図２３】
0005650990.tif 000024
【図２４】
0005650990.tif 000025
【図２５】
0005650990.tif 000026
【図２６】
0005650990.tif 000027
【図２７】
0005650990.tif 000028
【図２８】
0005650990.tif 000029
【図２９】
0005650990.tif 000030
【図３０】
0005650990.tif 000031
【図３１】
0005650990.tif 000032
【図３２】
0005650990.tif 000033
【図３３】
0005650990.tif 000034
【図３４】
0005650990.tif 000035
【図３５】
0005650990.tif 000036
【図３６】
0005650990.tif 000037